(57)【要約】【課題】近接センサを隠蔽しつつも使い勝手に優れる照明装置を備えた鏡を提供することを目的としている。【解決手段】本発明における洗面化粧台は、照明装置を備えた鏡であって、一対の側板と底板を有する枠体と、前記枠体の前面に配置されるミラー部と、前記ミラー部より後方側、且つ、前記枠体の下部に配置され、人体を検知した際に前記照明装置を点灯／消灯するセンサ部と、を備え、さらに、前記センサ部の検知領域をガイド可能な光を照射するガイド光出力装置を備え、前記ガイド光出力装置からの照射光は前記センサ部の検知範囲と重なるように照射されている。【選択図】図６
2020146260.tif 000002
【特許請求の範囲】
【請求項１】
照明装置を備えた鏡であって、
一対の側板と底板を有する枠体と、
前記枠体の前面に配置されるミラー部と、
前記ミラー部より後方側、且つ、前記枠体の下部に配置され、人体を検知した際に前記照明装置を点灯／消灯するセンサ部と、を備え、
さらに、前記センサ部の検知領域をガイド可能な光を照射するガイド光出力装置を備えていることを特徴とする照明装置を備えた鏡。
【請求項２】
前記ガイド光出力装置からの照射光は前記センサ部の検知領域と重なるように照射されていることを特徴とする請求項１に記載の照明装置を備えた鏡。
【請求項３】
請求項２に記載の照明装置を備えた鏡と、
前記枠体の下方には、カウンター部を有する洗面器が設けられており、
前記ガイド光出力装置からの照射光は、前記カウンター部に向けて照射されていることを特徴とする請求項２記載の洗面化粧台。
【請求項４】
請求項２に記載の照明装置を備えた鏡と、
前記枠体の下方には、カウンター部を有する洗面器が設けられており、
前記枠体と前記カウンター部との間には、板状のバックガードが設けられており、
前記ガイド光出力装置からの照射光は、前記バックガードに向けて照射されていることを特徴とする請求項２記載の洗面化粧台。
【請求項５】
前記ガイド光出力装置は、光を照射する光源と、前記光源から照射された光を透過させることにより照射面に所定のデータを投影可能なデータ表示手段と、を備えていることを特徴とする請求項３又は４に記載の洗面化粧台。
【請求項６】
前記データ表示手段は、液晶であり、前記洗面化粧台は、前記データ表示手段へ表示させる前記所定のデータを切替可能な制御部をさらに有することを特徴とする請求項５記載の洗面化粧台。
【請求項７】
前記枠体又は前記ガイド光出力装置には、照射面に照射される所定のデータの焦点距離を調整する焦点調整機構が設けられていることを特徴とする請求項５又は６に記載の洗面化粧台。
【請求項８】
前記制御部は、前記センサ部の検知状態が所定の時間を超えて非検知の状態が続いた際、前記ガイド光出力装置から照射される単位時間当たりの光量が低減されるよう制御することを特徴とする請求項３乃至７の何れか１項に記載の洗面化粧台。
【発明の詳細な説明】
【技術分野】
【０００１】
本発明は、一般的に、照明装置を備えた鏡に関する。
【背景技術】
【０００２】
従来、例えば、特許文献１のような鏡を使用する使用者の手を検知した際に、鏡に設けられた照明装置を点灯／消灯するような近接センサが搭載された照明装置を備えた鏡が知られている。
【０００３】
このような照明装置を備えた鏡においては、使用者が照明装置を点灯／消灯をするために操作スイッチに触れる動作が不要であり使い勝手に優れる。
【先行技術文献】
【特許文献】
【０００４】
【特許文献１】特開２０１８−８９１７９号公報
【発明の概要】
【発明が解決しようとする課題】
【０００５】
しかしながら、特許文献１のような構成では、デザイン性を向上させるために近接センサを隠蔽する形となるため、センサの設置位置が使用者からわかりづらく、操作するときに近接センサの検知領域である手を差しだす位置がわかりにくい。
そこで、近接センサの検知領域をラベルやマークで表示することも考えられるが、デザイン性に優れない。
【０００６】
そこで、本発明においては、近接センサを隠蔽しつつも使い勝手に優れる照明装置を備えた鏡を提供することを目的としている。
【課題を解決するための手段】
【０００７】
前記目的を達成するために、請求項１における照明装置を備えた鏡において、一対の側板と底板を有する枠体と、前記枠体の前面に配置されるミラー部と、前記ミラー部より後方側、且つ、前記枠体の下部に配置され、人体を検知した際に前記照明装置を点灯／消灯するセンサ部と、を備え、さらに、前記センサ部の検知領域をガイド可能な光を照射するガイド光出力装置を備えていることを特徴としている。
【０００８】
このことより、照明装置を点灯/消灯させるための近接センサをミラー部の後方に位置する枠体に対して照明装置を備えた鏡を使用する使用者から視認しづらい位置に設けたとしても、近接センサの検知領域をガイドするためのガイド光が照射されていることで、使用者に近接センサ検知領域をガイドすることができる。
そのため、使用者が照明装置を点灯/消灯させる際に、使用者に対し操作スイッチである近接センサの検知領域を迷うことなく認識させることができるので、使い勝手に優れる。そして、近接センサの検知領域を、例えば、ラベルやマークで表示する必要が無くなり、デザイン性に優れる。
従って、デザイン性に優れつつも使い勝手に優れた照明装置を備えた鏡を提供することができる。
【０００９】
また、請求項２における照明装置を備えた鏡において、前記ガイド光出力装置からの照射光は前記センサ部の検知領域と重なるように照射されていることを特徴としている。
【００１０】
このことより、近接センサの検知領域をガイドするためのガイド光が近接センサの検知領域と重なる領域に照射されていることで、より使用者に対して正確な近接センサ検知領域をガイドすることができる。
そのため、使用者が照明装置を点灯/消灯させる際に、使用者に対し操作スイッチである近接センサの検知領域を迷うことなく認識させることができるので、使い勝手に優れる。
【００１１】
また、請求項３における洗面化粧台において、請求項２に記載の照明装置を備えた鏡と、前記枠体の下方には、カウンター部を有する洗面器が設けられており、前記ガイド光出力装置からの照射光は、前記カウンター部に向けて照射されていることを特徴としている。
【００１２】
このことより、例えば、洗面化粧台の周囲が明るい環境であったとしても、ガイド光はカウンター部へ照射されていることにより、使用者に対しセンサの検知領域がカウンター部の光っている位置の上方空間であることを報知させることができる。
そのため、より迷うことなく認識させることができ使い勝手に優れた洗面化粧台を提供することができる。
【００１３】
また、請求項４における洗面化粧台において、請求項２に記載の照明装置を備えた鏡と、前記枠体の下方には、カウンター部を有する洗面器が設けられており、前記枠体と前記カウンター部との間には、板状のバックガードが設けられており、前記ガイド光出力装置からの照射光は、前記バックガードに向けて照射されていることを特徴としている。
【００１４】
このことより、例えば、洗面化粧台の周囲が明るい環境であったとしても、ガイド光はバックガードへ照射されていることにより、使用者に対しセンサの検知領域はバックガードが光っている位置の上方空間であることを報知させることができる。
そのため、より迷うことなく認識させることができ使い勝手に優れた洗面化粧台を提供することができる。
【００１５】
また、請求項５における洗面化粧台において、前記ガイド光出力装置は、光を照射する光源と、前記光源から照射された光を透過させることにより照射面に所定のデータを投影可能なデータ表示手段と、を備えていることを特徴としている。
【００１６】
このことより、ガイド光出力装置より照射された光はセンサ部の検知領域を表すガイドとして機能しつつ、例えば、映像又は文字又は画像などの所定のデータを表示させることで、使用者はカウンター部に投影された映像又は文字、画像などの情報を見ながら洗面化粧台で手を洗う作業や、身支度をすることができ、使い勝手に優れる。
【００１７】
また、請求項６における洗面化粧台において、前記データ表示手段は、液晶であり、前記洗面化粧台は、前記データ表示手段へ表示させる前記所定のデータを切替可能な制御部をさらに有することを特徴としている。
【００１８】
このことより、所定のデータは切り替え可能であり、制御部の制御にて複数のデータ表示が行える。
そのため、使用者のニーズに合わせ表示内容が変更でき、使い勝手に優れる。
【００１９】
また、請求項７における洗面化粧台において、前記枠体又は前記ガイド光出力装置には、照射面に照射される所定のデータの焦点距離を調整する焦点調整機構が設けられていることを特徴としている。
【００２０】
このことより、所定のデータを照射面に投影したい際に照射面までの距離に依存せずに、照射面にクリアな所定のデータを表示させることができる。
【００２１】
また、請求項８における洗面化粧台において、前記制御部は、前記センサ部の検知状態が所定の時間を超えて非検知の状態が続いた際、前記ガイド光出力装置から照射される単位時間当たりの光量が低減されるよう制御することを特徴としている。
【００２２】
このことより、センサ部の非検知状態が所定の時間を超えた際には、ガイド光出力装置から照射される単位時間当たりの光量が低減されるため、例えば、洗面化粧台を使用者が使用しない場合に、ガイド光出力装置から照射される照射光の消費電力を低減でき光源の寿命を延ばすことに繋がる。
【発明の効果】
【００２３】
本発明の態様によれば、照明装置を点灯/消灯させるための近接センサをミラー部の後方に位置する枠体に対して照明装置を備えた鏡を使用する使用者から視認しづらい位置に設けたとしても、近接センサの検知領域をガイドするためのガイド光が照射されていることで、使用者に近接センサ検知領域をガイドすることができる。
そのため、使用者が照明装置を点灯/消灯させる際に、使用者に対し操作スイッチである近接センサの検知領域を迷うことなく認識させることができるので、使い勝手に優れる。そして、近接センサの検知領域を、例えば、ラベルやマークで表示する必要が無くなり、デザイン性に優れる。
従って、デザイン性に優れつつも使い勝手に優れた照明装置を備えた鏡を提供することができる。
【図面の簡単な説明】
【００２４】
【図１】本発明の第１実施形態における洗面化粧台の全体を表した斜視図である。
【図２】図１のミラーキャビネットにおける鏡ユニットを省略した模式的斜視図である。
【図３】図１のミラーキャビネットにおける模式的底面図である。
【図４】本発明の第１実施形態における操作ユニットを表した模式的断面図である。
【図５】本発明の第１実施形態におけるガイド光出力装置から出力される所定のデータを表した表示例である。
【図６】本発明の第１実施形態におけるガイド光出力装置からカウンター部へ照射された光のイメージ図である。
【図７】本発明の第１実施形態におけるセンサ部の検知による照明装置及びガイド光出力装置の動作を示す制御部のフローチャートである。
【図８】本発明の第２実施形態における洗面化粧台の全体を表した斜視図である。
【図９】本発明の第２実施形態における操作ユニットを表した模式的断面図である。
【図１０】本発明の第２実施形態におけるガイド光出力装置からバックガードへ照射された光のイメージ図である。
【発明を実施するための形態】
【００２５】
以下、本発明の実施の形態について図面を参照しつつ説明する。なお、各図面中、同様の構成要素には同一の符号を付して詳細な説明は適宜省略する。
【００２６】
（第１の実施形態）
図１は、本発明の第１の実施形態における洗面化粧台の全体を表した模式的斜視図である。図２は、図１のミラーキャビネットにおいて鏡ユニットを省略した模式的斜視図である。図３は、図１のミラーキャビネットの模式的底面図である。
【００２７】
図１に示すように、本実施形態にかかる洗面化粧台１は、下部収納キャビネット１００と、下部収納キャビネット１００の上方に設けられた、洗面器２００と、洗面器２００内に水を吐出させる水栓装置３００と、洗面器２００の上方に設けられた、ミラーキャビネット４００と、を備えている。
【００２８】
ここで、本願明細書において、「上方」、「下方」、「右方」および「左方」という記載は、洗面化粧台１の正面に立って、洗面化粧台１を使用する人を基準とした上、下、右および左をそれぞれいう。また、本願明細書においては、洗面化粧台１から、洗面化粧台１の正面に位置する使用者へ向かう方向を「前方」方向とし、その逆方向を「後方」方向とする。
【００２９】
洗面器２００は、下方に向かって窪んだ形状を有するボウル部２１０と、ボウル部２１０と一体的に形成されたカウンター部２２０と、を有する。
カウンター部２２０は、ボウル部の左右方向に位置する側方カウンター２２０ａと、ボウル部の後方に位置する後方カウンター２２０ｂと、を有し、夫々略水平な面で形成されている。
なお、本実施形態において、ボウル部２１０とカウンター部２２０とは、一体成形されているが、別体で成形されたものでもよい。
【００３０】
水栓装置３００は、後方カウンター２２０ｂの上端に載置され、吐水部３１０が、ボウル部２１０の上方まで前方へ突出している。
【００３１】
ミラーキャビネット４００は、鏡ユニット４１０と、鏡ユニット４１０の前方に立っている使用者を照らす照明装置４２０と、鏡ユニット４１０の後方に設けられ、鏡ユニット４１０を開閉扉として内部に収納空間を有するミラーキャビネット本体４３０と、を有している。
【００３２】
鏡ユニット４１０は、ミラーキャビネット本体４３０の前方に設けられた中央鏡４１０ａと、中央鏡４１１の両側方に設けられた側方鏡４１０ｂと、を有する。
なお、鏡ユニット４１０は１枚の鏡であってもよい。
【００３３】
照明装置４２０は、鏡ユニット４１０の上部に設けられており、前方へ光を照射する。前方への光の照射は、例えば、反射板を用い間接的に照射するものであってもよい。
照明装置４２０の設置位置は、前方へ光を照射可能な位置に設置されていることが好ましく、例えば、中央鏡４１０ａと側方鏡４１０ｂとの間に設けてもよい。
【００３４】
ミラーキャビネット本体４３０は、前方が開口された箱状であり、背面板４３１と、背面板４３１の周囲を囲む形で、上方には上板４３２を、右方及び左方には一対の側板４３３と、下方には底板４３４と、を有している。そして、中央鏡４１０ａと側方鏡４１０ｂとの繋ぎ部分に位置する個所には、上板４３２と底板４３４を繋ぐ仕切り板４３５を有している。
【００３５】
ミラーキャビネット本体４３０の底板４３４には、照明装置４２０を点灯/消灯するためのセンサ部４５１が収容された操作ユニット４５０が設けられている。
操作ユニット４５０の下面は、底板４３４の下面から外部に露出している。
【００３６】
次に、操作ユニット４５０の詳細について説明する。
図４は、本発明の第１実施形態における操作ユニットを表した模式的断面図である。
【００３７】
操作ユニット４５０は、人体を検知する非接触の赤外線センサであるセンサ部４５１と、センサ部４５１の近傍に配置され下方に向かって映像又は画像などの所定のデータを照射するガイド光出力装置４５２と、ガイド光出力装置４５２から照射される所定のデータを制御する制御部４５３と、底板４３４から外部に露出している下面をカバーするための操作カバー４５４と、制御部４５３に対しガイド光出力装置へ出力する所定のデータを切り替えることが可能なデータ切替スイッチ４５５と、を有している。
非接触のセンサとしては他にも、例えば、電波センサ、カメラ、静電センサ、焦電センサが挙げられる。
【００３８】
ガイド光出力装置４５２は、下方に向かって光を照射する光源４５２ａと、光源４５２ａより下方に位置し制御部４５３によって制御された所定のデータを表示するデータ表示手段である液晶４５２ｂと、液晶４５２ｂより下方に位置し液晶４５２ｂから得られた所定のデータを結像するレンズ４５２ｃと、照射面に投影された所定のデータの焦点距離を調整可能な焦点距離調整機構４５２ｄと、を有している。
光源４５２ａは、例えば、ＬＥＤであり、光源４５２ａから照射された光は液晶４５２ｂを通過することにより所定のデータを取得し、その後レンズ４５２ｃを通過することにより結像され、カウンター部２２０に向かって照射される。
【００３９】
制御部４５３は、照明装置４２０の点灯/消灯状態、及び、ガイド光出力装置４５２の点灯/点滅状態を制御する。さらにガイド光出力装置４５２から出力される所定のデータを制御する。詳述すると、液晶４５２ａへ表示させる所定のデータを制御する。
このようにデータ表示手段は、例えば、液晶４５２ａを用い制御部４５３により表示させる所定のデータを切替えることが可能な構成であることが好ましいが、液晶４５２ａとは異なる簡易な手段を用い表示を固定させてもよい。
【００４０】
操作カバー４５４は、ガイド光出力装置４５２から下方に向かって照射された所定のデータをカウンター部２２０に照射させるために光を通過させるための開口部４５４ａと、センサ部４５１の検知のため設けられた開口部４５４ｂと、を有している。
【００４１】
焦点距離調整機構４５２ｄは、操作ユニット４５０の内部に位置するため、例えば、メンテナンス時にメンテナンス作業者が操作カバー４５４を外し、焦点距離調整機構４５２ｄを直接操作することで焦点距離を調整する。
このようにすることにより、使用者が誤って焦点距離を変更してしまうことを抑制することができる。
なお、上記のように使用者が焦点距離調整機構４５２ｄを操作できないように設定することが好ましいが、洗面化粧台１を使用する使用者が焦点距離調整機構４５２ｄを操作できるよう、例えば、焦点距離調整機構４５２ｄを作動させるスイッチを枠体に設けてもよい。
【００４２】
データ切替スイッチ４５５は、押圧式のスイッチであり、押圧部が操作カバー４５４の下面からわずかに下方に向かって突出している。
データ切替スイッチ４５５は、液晶４５２ｂへ表示させる所定のデータを切り替えるよう制御部４５３へ信号を入力する。
なお、データ切替スイッチ４５５は、押圧式のスイッチに限らず、例えば、センサ部４５１の検知時間による制御という方法も考えられる。
【００４３】
また、光源４５２ａからカウンター部２２０に向かって照射されている光の照射領域Ｓ１は、センサ部４５１の検知領域Ｓ２と重なるガイド領域Ｓ３を有している。
この検知領域Ｓ２の検知範囲は、照射領域Ｓ１の照射範囲より短く設定しており、例えば、カウンター部２２０の上面から上方に向かって２００ｍｍの位置までとしている。このことにより、例えば、使用者がカウンター部２２０を清掃する際センサ部４５１による誤検知を防止する。
【００４４】
次に、所定のデータの表示について図５及び図６にて説明する。
図５は、ガイド光出力装置から出力される所定のデータを表した表示例である。図５に示すように、所定のデータとしては、例えば、（ａ）時刻表示、（ｂ）天気表示、（ｃ）温度・湿度、（ｄ）ブロンドロゴなどの表示が挙げられる。
所定のデータとして、例えば、カウンター部２２０へ時刻を表示させることで、洗面行為を行う使用者に対し、時計の存在を過度に目立たすことなく、洗面化粧台に時計を表示することができる。
【００４５】
図６は、ガイド光出力装置からカウンター部へ照射された照射光の一例である。
図６に示すように、センサ部４５１の検知領域Ｓ２のガイドとして、時刻表示をカウンター部２２０へ照射する。
【００４６】
続いて、図７を参照しながら、センサ部により被検知物を検知した際の制御フローを説明する。図７は、本発明の第１実施形態におけるセンサ部の検知による照明装置及びガイド光出力装置の動作を示す制御部のフローチャートである。
前提として、図７に示す制御部のフローチャートは、操作ユニットの電源（図示せず）が入った状態で、センサ部４５１が被検知物を検知したとき起動されるフローチャートである。
【００４７】
制御部４５３は、ガイド光出力装置４５２からカウンター部２２０に向けて点滅状態で光を照射するよう制御する（ステップＳ１０１）。その後、ステップＳ１０２の処理に進む。
【００４８】
ステップＳ１０２では、制御部４５３は、センサ部４５１の検知領域Ｓ２に、例えば、人の手など被検知物が検知されたか否かを判断する。非検知物が検知されなかった際（Ｓ１０２Ｎ）は、ステップＳ１０２の判断を繰り返し、被検知物が検知された際（Ｓ１０２Ｙ）はステップＳ１０３の処理に進む。
【００４９】
ステップＳ１０３では、制御部４５３は、ガイド光出力装置４５２から照射される光を点滅状態から点灯状態へ切替えるよう制御する。その後、ステップＳ１０４の処理に進む。
【００５０】
ステップＳ１０４では、制御部４５３は、非検知状態における待機時間を計測するためタイマー（図示せず）のカウントがスタートするよう制御する。その後、ステップＳ１０５の処理に進む。
【００５１】
ステップＳ１０５では、制御部４５３は、照明装置４２０を点灯させる。その後、ステップＳ１０６の処理に進む。
【００５２】
ステップＳ１０６では、制御部４５３は、センサ部４５１の検知領域Ｓ２に、被検知物が検知されたか否かを判断する。非検知物が検知されなかった際（Ｓ１０６Ｎ）はステップＳ１２０の処理に進み、被検知物が検知された際（Ｓ１０６Ｙ）はステップＳ１０７の処理に進む。
【００５３】
ステップＳ１０７では、制御部４５３は、タイマーのカウントをリセットさせる。換言すると、制御部４５３は、タイマーのカウントを０秒からリスタートさせる。その後、ステップＳ１０８の処理に進む。
【００５４】
ステップＳ１０８では、制御部４５３は、照明装置４２０を消灯させる。その後、ステップＳ１０９の処理に進む。
【００５５】
ステップＳ１０９では、制御部４５３は、センサ部４５１の検知領域Ｓ２に、被検知物が検知されたか否かを判断する。非検知物が検知されなかった際（Ｓ１０９Ｎ）はステップＳ１１０の処理に進み、被検知物が検知された際（Ｓ１０９Ｙ）はステップＳ１１３の処理に進む。
【００５６】
ステップＳ１１０では、制御部４５３は、タイマーのカウントが１分以上であるか否かを判断する。カウントが１分を超えた際（Ｓ１１０Ｙ）はステップＳ１１１の処理に進み、カウントが１分未満である際（Ｓ１１０Ｎ）はステップＳ１０９の処理に戻る。
【００５７】
ステップＳ１１１では、制御部４５３は、タイマーのカウントをストップしリセットさせる。換言すると、制御部４５３は、タイマーのカウントを０秒の状態で停止させる。その後、ステップＳ１１２の処理に進む。
【００５８】
ステップＳ１１２では、制御部４５３は、ガイド光出力装置４５２から照射される光を点灯状態から点滅状態へ切替えるよう制御する。
【００５９】
ステップＳ１１３では、制御部４５３は、タイマーのカウントをリセットさせる。換言すると、制御部４５３は、タイマーのカウントを０秒からリスタートさせる。その後、ステップＳ１０５の処理に戻る。
【００６０】
ステップＳ１２０では、制御部４５３は、タイマーのカウントが１０分以上であるか否かを判断する。カウントが１０分を超えた際（Ｓ１２０Ｙ）はステップＳ１２１の処理に進み、カウントが１０分未満である際（Ｓ１２０Ｎ）はステップＳ１０６の処理に戻る。
【００６１】
ステップＳ１２１では、制御部４５３は、タイマーのカウントをリセットさせる。換言すると、制御部４５３は、タイマーのカウントを０秒からリスタートさせる。その後、ステップＳ１２２の処理に進む。
【００６２】
ステップＳ１２２では、制御部４５３は、ガイド光出力装置４５２から照射される光を点灯状態から点滅状態へ切替えるよう制御する。その後、ステップＳ１２３の処理に進む。
このことにより、センサ部４５１の非検知状態が所定の時間を超えた際には、ガイド光出力装置４５２から照射される単位時間当たりの光量が低減されるため、例えば、洗面化粧台１を使用者が使用しない場合に、ガイド光出力装置４５２から照射される照射光の消費電力を低減でき光源の寿命を延ばすことに繋がる。
また、本実施形態においては、ガイド光出力装置４５２から照射される単位時間当たりの光量（光源から出力される光の総量）を低減させるため、ガイド光出力装置４５２から照射状態を点灯から点滅に切り替える手段を採用しているが、ガイド光出力装置４５２から照射される光の光度を落とす制御でも同様の効果を得られる。
【００６３】
ステップＳ１２３では、制御部４５３は、センサ部４５１の検知領域Ｓ２に、被検知物が検知されたか否かを判断する。非検知物が検知されなかった際（Ｓ１２３Ｎ）はステップＳ１２３の判断を繰り返し、被検知物が検知された際（Ｓ１２３Ｙ）はステップＳ１２４の処理に進む。
【００６４】
ステップＳ１２４では、制御部４５３は、ガイド光出力装置４５２から照射される光を点滅状態から点灯状態へ切替えるよう制御する。その後、ステップＳ１２５の処理に進む。
【００６５】
ステップＳ１２５では、制御部４５３は、タイマーのカウントをスタートさせる。その後、ステップＳ１０８の処理に進む。
【００６６】
（第２の実施形態）
図８は、第２の実施形態における洗面化粧台を表す斜視図である。
図８に表したように、洗面化粧台１０では、洗面器２００とミラーキャビネット４００との間には、洗面器２００とミラーキャビネット４００とをつなぐ垂直に立ち上がる板状のバックガード５００が設けられている。
なお、以下の実施形態において、上記第１の実施の形態と機能・構成上実質的に同じものについては、同符号を付し、詳細な説明は省略する。
【００６７】
図９に示すように、第２の実施形態においては、ガイド光出力装置４５２から出力される所定のデータはバックガード５００に投影されている。
【００６８】
図１０は、第２の実施形態におけるガイド光出力装置からバックガードへ照射された照射光の一例である。図１０に示すように、例えば、センサ部４５１の検知領域Ｓ２のガイドとして、時刻表示をバックガード５００へ照射する。
【００６９】
このことにより、例えば、洗面化粧台の周囲が明るい環境であったとしても、ガイド光はバックガード５００へ照射されていることにより、使用者に対しセンサの検知領域Ｓ２はバックガード５００が光っている位置の上方空間であることを報知させることができる。
そのため、より迷うことなく認識させることができ使い勝手に優れた洗面化粧台を提供することができる。
【００７０】
上記各実施形態では、制御部４５３を設け、センサ部４５１の検知領域Ｓ２のガイドとして所定のデータをカウンター部２２０又はバックガード５００へ照射していたが、自由に照射位置を設定できるようにしてもよく、例えば、洗面化粧台とは異なる部材へガイド光を照射しても良い。
【００７１】
また、上記各実施形態では照射面に所定のデータを表示させているが、液晶４５２ｂやレンズ４５２ｃを省略し、使用者へセンサ部４５１の検知領域Ｓ２をガイドさせることができればよく、所定のデータを表示させることなく光源４５２ａから直接、光を照射面へ照射しても良い。
【００７２】
また、上記各実施形態では、鏡ユニット４１０の後方にミラーキャビネット本体４３０を設けていたが、鏡ユニット４１０の後方にはセンサ部４５１を配設することができればよく、例えば、右方及び左方に位置する一対の側板４３３と、下方に位置する底板４３４と、を有した枠体のみ設けられていれば良い。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面化粧台１、１０などが備える各要素の形状、寸法、材質、配置などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１、１０  洗面化粧台
１００  下部収納キャビネット
２００  洗面器
２１０  ボウル部
２２０  カウンター部
３００  水栓装置
４００  ミラーキャビネット
４１０  鏡ユニット
４１０ａ  中央鏡
４１０ｂ  側方鏡
４２０  照明装置
４３０  ミラーキャビネット本体
４３１  背面板
４３２  上板
４３３  側板
４３４  底板
４３５  仕切り板
４５０  操作ユニット
４５１  センサ部
４５２  ガイド光出力装置
４５２ａ  光源
４５２ｂ  液晶（データ表示手段）
４５２ｃ  レンズ
４５２ｄ  焦点距離調整機構
４５３  制御部
４５４  操作カバー
４５４ａ、４５４ｂ  開口部
４５５  データ切替スイッチ
５００  バックガード
Ｓ１  照射領域
Ｓ２  検知領域
Ｓ３  ガイド領域
【図１】
2020146260.tif 000003
【図２】
2020146260.tif 000004
【図３】
2020146260.tif 000005
【図４】
2020146260.tif 000006
【図５】
2020146260.tif 000007
【図６】
2020146260.tif 000008
【図７】
2020146260.tif 000009
【図８】
2020146260.tif 000010
【図９】
2020146260.tif 000011
【図１０】
2020146260.tif 000012